(57)【要約】      （修正有）【課題】最小の部品点数をもって、独立した四つの帯状体を適切に連結させ合わせることが可能なバックルを提供する。【解決手段】帯状体Ｗの第一通し部１と、この第一通し部１に対向した位置に形成されると共に、中間クロスバー２０によって二つに区分されており、バックルＢの裏面Ｂ’側から入れ込まれてこの中間クロスバー２０に掛け回すようにして再びバックルＢの裏面Ｂ’側から引き出される帯状体Ｗの引き出し寸法を調整可能とした状態でこのように挿通された帯状体Ｗへの留め付けをなす第二通し部２と、バックルＢの一方側部に形成された帯状体Ｗの第三通し部３と、この第三通し部３に対向した位置に形成された帯状体Ｗの第四通し部４とを備えている。【選択図】図１
2005192812.tif 000002
【特許請求の範囲】
【請求項１】
バックルを介して四つの帯状体を連結させ合わせるように構成されたワンパーツよりなるバックルであって、
帯状体の第一通し部と、
この第一通し部に対向した位置に形成されると共に、中間クロスバーによって二つに区分されており、バックルの裏面側から入れ込まれてこの中間クロスバ−に掛け回すようにして再びバックルの裏面側から引き出される帯状体の引き出し寸法を調整可能とした状態でこのように挿通された帯状体への留め付けをなす第二通し部と、
バックルの一方側部に形成された帯状体の第三通し部と、
この第三通し部に対向した位置に形成された帯状体の第四通し部とを備えていることを特徴とするバックル。
【請求項２】
第三通し部及び第四通し部の双方又はいずれか一方が、中間クロスバーによって二つに区分されており、バックルの裏面側から入れ込まれてこの中間クロスバ−に掛け回すようにして再びバックルの裏面側から引き出される帯状体の引き出し寸法を調整可能とした状態でこのように挿通された帯状体への留め付けをなすように構成されていることを特徴とする請求項１記載のバックル。
【請求項３】
第一通し部が、挿通される帯状体の幅よりも幅広の長穴状をなすように構成されていることを特徴とする請求項１又は請求項２記載のバックル。
【請求項４】
第一通し部における挿通される帯状体が巻掛けられる箇所の内側部が、この第一通し部の内方を湾曲内側とした弧状をなすように形成されていることを特徴とする請求項３記載のバックル。
【請求項５】
請求項１から請求項４のいずれか１項に記載のバックルを左右に一個づつ有しており、この左右のバックル間に主として使用者のウエスト前部に接するようにしたウエストストラップを備えたリュックサックであって、
左側のバックルを、
上端をリュックサック本体の上部側に止着させた左側ショルダーパッドに連接された帯状体を第一通し部に通し、
下端をリュックサック本体の左下部側に連接させた帯状体を第二通し部に通し、
一端をリュックサック本体の左側部に連接させた帯状体を第四通し部に通し、
かつ、ウエストストラップを構成する帯状体の左端側を第三通し部に通して備え付けさせていると共に、
右側のバックルを、
上端をリュックサック本体の上部側に止着させた右側ショルダーパッドに連接された帯状体を第一通し部に通し、
下端をリュックサック本体の右下部側に連接させた帯状体を第二通し部に通し、
一端をリュックサック本体の右側部に連接させた帯状体を第三通し部に通し、
かつ、ウエストストラップを構成する帯状体の右端側を第四通し部に通して備え付けさせていることを特徴とするリュックサック。
【発明の詳細な説明】
【技術分野】
【０００１】
この発明は、バックルを介して独立した四つの帯状体を連結させ合わせるように用いられるバックルの改良、および、このバックルを利用したリュックサックに関する。
【背景技術】
【０００２】
バックルを介して独立した三つの帯状体を連結させ合わせるようにしたバックルとして、特許文献１および特許文献２に示されるものがある。しかるに、これらのバックルは、部品点数が多く、また、独立した三つの帯状体を連結させ合わせるに留まるものであった。
【０００３】
一方、リュックサックにあっては、リュックサックを背負い込む使用者の体にリュックサック本体を密着させる観点や、リュックサックの振れ止めの観点から、一対のショルダーストラップ間に亘るチェストストラップ（使用者の胸部前部に接する帯状体）と、使用者の臀部に巻き付けられるヒップストラップの他に、使用者の主としてウエスト前部に接するウエストストラップを備えたものがあるが、このウエストストラップによるリュックサックの下部側での使用者の体とリュックサック本体の密着性向上や振れ止めの機能を効果的に発揮させるような態様で、このウエストストラップをリュックサックに容易に備え付けさせることができるようにすることが望まれるところであった。
【特許文献１】特開２００１−２５２１０７号公報
【特許文献２】特開２００２−１５９３０９号公報
【発明の開示】
【発明が解決しようとする課題】
【０００４】
この発明が解決しようとする主たる問題点は、最小の部品点数をもって、独立した四つの帯状体を適切に連結させ合わせることが可能なバックルを提供する点にある。
【０００５】
また、リュックサックに、ウエストストラップを、容易かつ適切に備え付けさせることができるようにする点にある。
【課題を解決するための手段】
【０００６】
前記問題点を解決するために、この発明にあっては、バックルが以下の（１）〜（５）の構成を備えたものとした。
（１）バックルを介して四つの帯状体を連結させ合わせるように構成されたワンパーツよりなるバックルであって、
（２）帯状体の第一通し部と、
（３）この第一通し部に対向した位置に形成されると共に、中間クロスバーによって二つに区分されており、バックルの裏面側から入れ込まれてこの中間クロスバ−に掛け回すようにして再びバックルの裏面側から引き出される帯状体の引き出し寸法を調整可能とした状態でこのように挿通された帯状体への留め付けをなす第二通し部と、
（４）バックルの一方側部に形成された帯状体の第三通し部と、
（５）この第三通し部に対向した位置に形成された帯状体の第四通し部とを備えている。
【０００７】
かかる構成によれば、第一通し部に挿通した帯状体、第二通し部に挿通した帯状体、第三通し部に挿通した帯状体、及び、第四通し部に挿通した帯状体、つまり独立した四つの帯状体を、ワンパーツよりなるバックルを介して連結させ合わせることができる。また、第二通し部に挿通した帯状体は、第二通し部の中間クロスバーに掛け回されて引き出されるその帯状体の端部側の引き出し寸法を調整可能とした状態でバックルに留め付けられることから、この第二通し部に挿通された帯状体の端部側のこの第二通し部からの引き出し寸法を調整することによって、バックルの位置、つまり、四つの帯状体の連結位置を必要に応じて調整させることができる。
【０００８】
前記第三通し部及び第四通し部の双方又はいずれか一方が、中間クロスバーによって二つに区分されており、バックルの裏面側から入れ込まれてこの中間クロスバ−に掛け回すようにして再びバックルの裏面側から引き出される帯状体の引き出し寸法を調整可能とした状態でこのように挿通された帯状体への留め付けをなすように構成されておくこともある。
【０００９】
このようにした場合、第二通し部に通された帯状体の端部側の引き出し寸法を調整できることに加えて、第三通し部や第四通し部に通された帯状体の端部側の引き出し寸法も調整できることから、バックルの位置、つまり、四つの帯状体の連結位置を必要に応じてより自由度高く調整させることができる。
【００１０】
前記第一通し部が、挿通される帯状体の幅よりも幅広の長穴状をなすように構成されているようにしておくこともある。
【００１１】
このようにした場合、第一通し部に挿通した帯状体を、この第一通し部の長さと帯状体の幅との寸法差分の範囲で、第一通し部が上方又は下方に位置されるバックルの利用状態においては左右に、第一通し部が側方に位置されるバックルの利用状態においては上下に、第一通し部内においてズラすことができ、バックルを介して連結させ合わされる帯状体に加わるテンションの向きにバックルが抗って連結させ合わされた帯状体に捩れなどを生じさせてしまう事態を、できる限り防止することができる。
【００１２】
このようにした場合には、さらに、前記第一通し部における挿通される帯状体が巻掛けられる箇所の内側部を、この第一通し部の内方を湾曲内側とした弧状をなすように形成させておくこともある。
【００１３】
このようにした場合、第一通し部に挿通された帯状体に対し振れなどが作用された場合において、この第一通し部に挿通した帯状体を、この第一通し部の長さと帯状体の幅との寸法差分の範囲で、前記内側部を案内にして円滑にズラして、前記のような帯状体の捩れなどをより効果的に生じさせないようにすることができる。
【００１４】
また、前記問題点を解決するために、この発明にあってはリュックサックが以下の（１）〜（３）の構成を備えたものとした。
（１）前記バックルを左右に一個づつ有しており、この左右のバックル間に使用者の主としてウエスト前部に接するようにしたウエストストラップを備えたリュックサックであって、
（２）左側のバックルを、
上端をリュックサック本体の上部側に止着させた左側ショルダーパッドに連接された帯状体を第一通し部に通し、
下端をリュックサック本体の左下部側に連接させた帯状体を第二通し部に通し、
一端をリュックサック本体の左側部に連接させた帯状体を第四通し部に通し、
かつ、ウエストストラップを構成する帯状体の左端側を第三通し部に通して備え付けさせていると共に、
（３）右側のバックルを、
上端をリュックサック本体の上部側に止着させた右側ショルダーパッドに連接された帯状体を第一通し部に通し、
下端をリュックサック本体の右下部側に連接させた帯状体を第二通し部に通し、
一端をリュックサック本体の右側部に連接させた帯状体を第三通し部に通し、
かつ、ウエストストラップを構成する帯状体の右端側を第四通し部に通して備え付けさせている。
【００１５】
かかるリュックサックにあっては、第一に、第一通し部に通されたショルダーパッドに連接された帯状体と第二通し部に通された帯状体とによってバックルを介してショルダーストラップの長さ調整を可能とした状態で、ショルダーストラップを構成させることができる。
また、第二に、左側のバックルの第三通し部と右側のバックルの第四通し部を利用して、一対のショルダーストラップの間に、ウエストストラップを適切に張り込むことができ、このように張り込まれるウエストストラップによってリュックサックを背負い込んだ使用者の主としてウエスト前部に対するショルダーストラップの密着性を向上させることができる。
また、第三に、左側のバックルの第四通し部に通される帯状体と右側のバックルの第三通し部に通される帯状体とによって、リュックサックの下部側が使用者の活動に伴って過度に振れないようにすることができる。この帯状体を長さ調整可能とするようにしておけば、ショルダーストラップとリュックサックの下部背面との間の間隔を絞って、前記振れをより効果的に抑止させることができる。
すなわち、かかるリュックサックにあっては、前記左右のバックルを利用してリュックサックを構成する左側四つの帯状体と、右側四つの帯状体とを連結させ合わせることにより、以上の機能を奏するリュックサックをシンプルかつ適切に構成させることができる。
【発明の効果】
【００１６】
この発明にかかるバックルによれば、ワンパーツでありながら、独立した四つの帯状体を適切に連結させ合わせることができる。
【００１７】
また、この発明にかかるリュックサックによれば、リュックサックに、ウエストストラップを、容易かつ適切に備え付けさせることができる。
【発明を実施するための最良の形態】
【００１８】
以下、図１ないし図１６に基づいて、この発明を実施するための最良の形態について説明する。
【００１９】
なお、ここで図１および図２は、実施の形態にかかるバックルＢの構成例の一つを、図３ないし図５は、かかる構成例の他の一つを、図６ないし図１２は、かかる構成例のさらに他の一つを、図１３ないし図１６は、図６ないし図１２に示されるバックルＢを利用して構成されたリュックサック１００の一例を、それぞれ示している。
【００２０】
この実施の形態にかかるバックルＢは、バックルＢを介して独立した四つの帯状体Ｗ、Ｗ…を連結させ合わせるように用いられるものである。
【００２１】
また、この実施の形態にかかるリュックサック１００は、使用者、つまり、リュックサック１００を背負い込んだ者の主としてウエスト前部に接するようにしたウエストストラップ１４０をショルダーパッド１２１を備えて構成される一対のショルダーストラップ１２０、１２０間に亘るように備えたものである。
【００２２】
（バックルＢ）
かかるバックルＢは、このバックルＢを介して四つの帯状体Ｗ、Ｗ…を連結させ合わせるように構成されたワンパーツよりなる。
【００２３】
そして、かかるバックルＢは、帯状体Ｗがそれぞれ挿通される四つの通し部１、２、３、４を有している。
【００２４】
すなわち、かかるバックルＢは、帯状体Ｗの第一通し部１と、
この第一通し部１に対向した位置に形成されると共に、中間クロスバー２０によって二つに区分されており、バックルＢの裏面Ｂ’側から入れ込まれてこの中間クロスバ−２０に掛け回すようにして再びバックルＢの裏面Ｂ’側から引き出される帯状体Ｗの引き出し寸法を調整可能とした状態でこのように挿通された帯状体Ｗへの留め付けをなす第二通し部２と、
バックルＢの一方側部に形成された帯状体Ｗの第三通し部３と、
この第三通し部３に対向した位置に形成された帯状体Ｗの第四通し部４とを備えている。
【００２５】
第三通し部３は、第一通し部１および第二通し部２に挿通された帯状体Ｗの長さ方向に交叉する向きに、この第三通し部３に挿通された帯状体Ｗの長さ方向が沿うように、バックルＢにその帯状体Ｗを接続できるように設けられる。第四通し部４は、第三通し部３に対向した位置に形成されることから、この第四通し部４も、第一通し部１および第二通し部２に挿通された帯状体Ｗの長さ方向に交叉する向きに、この第四通し部４に挿通された帯状体Ｗの長さ方向が沿うように、バックルＢにその帯状体Ｗを接続できるように設けられる。
【００２６】
かかるバックルＢによれば、第一通し部１に挿通した帯状体Ｗ、第二通し部２に挿通した帯状体Ｗ、第三通し部３に挿通した帯状体Ｗ、及び、第四通し部４に挿通した帯状体Ｗ、つまり独立した四つの帯状体Ｗ、Ｗ…を、バックルＢを介して連結させ合わせることができる。連結させ合わされたこれらの帯状体Ｗ、Ｗ…はバックルＢを中心に全体として十字状をなす。（図１）また、第二通し部２に挿通した帯状体Ｗは、第二通し部２の中間クロスバー２０に掛け回されて引き出されるその帯状体Ｗの端部側の引き出し寸法を調整可能とした状態でバックルＢに留め付けられることから、この第二通し部２に挿通された帯状体Ｗの端部側のこの第二通し部２からの引き出し寸法を調整することによって、バックルＢの位置、つまり、四つの帯状体Ｗ、Ｗ…の連結位置を必要に応じて調整させることができる。図１に示される例にあっては、第一通し部１、第三通し部３および第四通し部４は、帯状体Ｗを挿通可能な長穴状をなすように構成されており、これらの通し部に挿通された帯状体Ｗは、典型的には、挿通されて引き出された帯状体Ｗの端部に抜け止め部を形成させたり、この端部をバックルＢの外方においてその帯状体Ｗの中間部に止着させたりすることによって、これらの通し部１、３、４への挿通状態を維持される。
【００２７】
さらに、第三通し部３及び第四通し部４の双方又はいずれか一方を、中間クロスバー３０、４０によって二つに区分させ、バックルＢの裏面Ｂ’側から入れ込まれてこの中間クロスバ−に掛け回すようにして再びバックルＢの裏面Ｂ’側から引き出される帯状体Ｗの引き出し寸法を調整可能とした状態でこのように挿通された帯状体Ｗへの留め付けをなすようにしておくこともある。
【００２８】
図３に示される例にあっては、第三通し部３及び第四通し部４の双方が、中間クロスバー３０、４０によって二つに区分されている。
【００２９】
このようにした場合、第二通し部２に通された帯状体Ｗの端部側の引き出し寸法を調整できることに加えて、第三通し部３や第四通し部４に通された帯状体Ｗの端部側の引き出し寸法も調整できることから、バックルＢの位置、つまり、四つの帯状体Ｗ、Ｗ…の連結位置を必要に応じてより自由度高く調整させることができる。
【００３０】
図６ないし図１２は、かかるバックルＢのより具体的な構成例を示している。
【００３１】
かかるバックルＢは、略方形の枠状をなす内側構成体５と、この内側構成体５の三辺を外側から囲うように内側構成体５に一体に接続された外側フレーム６とを有している。具体的には、内側構成体５と外側フレーム６とは、内側構成体５の四隅と外側フレーム６の内側部とに亘る連接片７によって一体に接続されている。そして、これにより、かかるバックルＢは、内側構成体５の三辺の外側にそれぞれ、これらの各辺と連接片７と外側フレーム６とによって囲繞された三カ所の通し部１、３、４を有するようになっている。この内側構成体５の三辺のうち、対向位置にある二辺の外側に形成された通し部３、４が、前記第三通し部３および第四通し部４となり、残りの一辺の外側に形成された通し部１が、前記第一通し部１となるようになっている。これら第一、第三、第四通し部１、３、４は、いずれも内側構成体５の辺に沿って長く延びる長穴状をなすように構成されている。また、第一通し部１の長さ方向に対して、第三通し部３および第四通し部４の長さ方向は、ほぼ直交する向きになるようになっている。
【００３２】
一方、第二通し部２は、内側構成体５の内方に形成されている。具体的には、略方形の枠状をなす内側構成体５の内部には、この内側構成体５における第三通し部３を外側に位置させる辺部５１の内側部と、第四通し部４を外側に位置させる辺部５２の内側部との間に亘って、第一通し部１を外側に位置させる辺部５０に沿うように延びる中間クロスバー２０が設けられており、この中間クロスバー２０によって内側構成体５の内部空間が二つに区分されるようになっている。そして、この例にあっては、この第二通し部２に対して帯状体Ｗを、バックルＢの裏面Ｂ’側から、この中間クロスバー２０と第一通し部１を外側に位置させる辺部５０との間に通してバックルＢの表面Ｂ”側に引き出させた後、この中間クロスバー２０と内側構成体５における外側フレーム６を外側に位置させていない辺部（以下、この辺部を、エンドクロスバー５３という。）との間に通して再びバックルＢの裏面Ｂ’側に引き出させるようにすることによって、第二通し部２にこの帯状体Ｗの端部Ｗ’側の引き出し寸法を調整可能とした状態で留め付けることができるようにしてある。
【００３３】
図示の例では、中間クロスバー２０は、バックルＢの表面Ｂ”にほぼ平行をなす表面２１を有すると共に、エンドクロスバー５３に向けられた側面２２をバックルＢの肉厚方向にほぼ平行をなす面とし、この表面２１と側面２２との間にエッジ状をなす隅部２３を有している。一方、エンドクロスバー５３は、バックルＢの表面Ｂ”側から裏面Ｂ’側に向かうに連れて、次第に中間クロスバー２０の前記側面２２に近づく向きに傾斜状に突き出した留め付け片部５４を有している。そして、中間クロスバー２０の前記隅部２３を通るバックルＢの肉厚方向に沿った仮想の直線ｘと、留め付け片部５４の突き出し端５５を通るバックルＢの肉厚方向に沿った仮想の直線ｙとの間の間隔が、第二通し部２に前記のように挿通される帯状体Ｗの厚さよりも小さくなるようにしてある。これにより、前記のように第二通し部２に挿通された帯状体Ｗには、この帯状体Ｗにテンションが作用されれば作用されるほど、中間クロスバー２０の前記隅部２３と留め付け片部５４の突き出し端５５とが強く突き立てられることとなり、第二通し部２への帯状体Ｗの留め付け状態が安定的に確保される。この留め付け状態は、エンドクロスバー５３にバックルＢの裏面Ｂ’側から指などを掛け、このエンドクロスバー５３の形成側を、引き出されている帯状体Ｗの端部Ｗ’側の裏側に位置される帯状体Ｗの中間部Ｗ”から離れ出させるように操作することにより、解くことができる。すなわち、かかる操作をなすと、帯状体Ｗの中間部Ｗ”による帯状体Ｗの端部Ｗ’側の留め付け片部５４の突き出し端５５への押し付けが解除され、帯状体Ｗには中間クロスバー２０の前記隅部２３のみが突き当てられるようになることから、この中間クロスバー２０とエンドクロスバー５３との間での帯状体Ｗの留め付け力が低下される。これにより、第二通し部２に挿通された帯状体Ｗの端部Ｗ’側の引き出し寸法を調整することができる。
【００３４】
また、この例にあっては、前記第一通し部１が、挿通される帯状体Ｗの幅よりも幅広の長穴状をなすように構成されている。
【００３５】
これにより、この例にあっては、第一通し部１に挿通した帯状体Ｗを、この第一通し部１の長さと帯状体Ｗの幅との寸法差分の範囲で、第一通し部１が上方又は下方に位置されるバックルＢの利用状態においては左右に、第一通し部１が側方に位置されるバックルＢの利用状態においては上下に、第一通し部１内においてズラすことができ、バックルＢを介して連結させ合わされる帯状体Ｗに加わるテンションの向きにバックルＢが抗って連結させ合わされた帯状体Ｗに捩れなどを生じさせてしまう事態を、できる限り防止できるようになっている。
【００３６】
また、この例にあっては、かかる第一通し部１における挿通される帯状体Ｗが巻掛けられる箇所の内側部１１が、この第一通し部１の内方を湾曲内側とした弧状をなすように形成されている。
【００３７】
これにより、この例にあっては、第一通し部１に挿通された帯状体Ｗに対し振れなどが作用された場合において、この第一通し部１に挿通した帯状体Ｗを、この第一通し部１の長さと帯状体Ｗの幅との寸法差分の範囲で、前記内側部１１を案内にして円滑にズラして、前記のような帯状体Ｗの捩れなどをより効果的に生じさせないようにすることができるようになっている。
【００３８】
（リュックサック１００）
図１３ないし図１６は、図６から図１２に示されるバックルＢを左右に一個づつ有していると共に、この左右のバックルＢ間に使用者のウエスト前部に接するウエストストラップ１４０を備えたリュックサック１００を示している。
【００３９】
図示の例にあっては、かかるリュックサック１００は、リュックサック１００の背面に一対のショルダーストラップ１２０、１２０を有すると共に、このショルダーストラップ１２０間に亘るチェストストラップ１３０を有している。チェストストラップ１３０はショルダーストラップ１２０に腕を通してリュックサック１００を背負った使用者の胸部に接する。また、かかるリュックサック１００は、その下部にリュックサック１００を背負った使用者の腰部に巻き付けられるヒップストラップ１５０を有している。前記ウエストストラップ１４０は、かかるチェストストラップ１３０とヒップストラップ１５０との間において、リュックサック１００を背負った使用者の主としてウエスト前部に接するように備えられ、リュックサック１００の下部側においてショルダーストラップ１２０に使用者の主としてウエスト前部を密着させるために設けられるものである。チェストストラップ１３０、ヒップストラップ１５０およびウエストストラップ１４０は、いずれも左右二つに区分されており、また、区分された左右を左端と右端に備え付けさせたバックル体１６０によって分離可能に接合できるようになっている。使用者は、チェストストラップ１３０を構成する左右帯状体１３１、１３１、ヒップストラップ１５０を構成する左右帯状体１５１、１５１およびウエストストラップ１４０を構成する左右帯状体１４１、１４１をバックル体１６０の分離によって分離させた状態において、ショルダーストラップ１２０に腕を通してリュックサック１００を背負い込み、この後、これら各ストラップ１３０、１４０、１５０の左右を接合させてリュックサック１００を装備するものとされる。こうしたバックル体１６０としては、典型的には、側部に掛合窓を備えた扁平筒状をなす雌バックルと、この雌バックル内への入れ込み部を有すると共にこの入れ込み部の入れ込みに伴なう弾性変形の後の弾発によって前記掛合窓に入り込み掛合する掛合部をこの入れ込み部に備えた雄バックルとよりなるサイドリリースバックルを用いることができる。
【００４０】
この実施の形態にかかるリュックサック１００にあっては、リュックサック１００の左右に一個づつ設けられるバックルＢのうち、
リュックサック１００をその背負い面側から見た状態において左側に位置される左側のバックルＢを、
上端をリュックサック１００本体の上部側に止着させた左側ショルダーパッド１２１に連接された帯状体１２２を第一通し部１に通し、
下端をリュックサック１００本体の左下部側に連接させた帯状体１７０を第二通し部２に通し、
一端をリュックサック１００本体の左側部に連接させた帯状体１８０を第四通し部４に通し、
かつ、ウエストストラップ１４０を構成する帯状体１４１の左端側を第三通し部３に通して備え付けさせている。
また、リュックサック１００の左右に一個づつ設けられるバックルＢのうち、
リュックサック１００をその背負い面側から見た状態において右側に位置される右側のバックルＢを、
上端をリュックサック１００本体の上部側に止着させた右側ショルダーパッド１２１に連接された帯状体１２２を第一通し部１に通し、
下端をリュックサック１００本体の右下部側に連接させた帯状体１９０を第二通し部２に通し、
一端をリュックサック１００本体の右側部に連接させた帯状体２００を第三通し部３に通し、
かつ、ウエストストラップ１４０を構成する帯状体１４１の右端側を第四通し部４に通して備え付けさせている。
【００４１】
この結果、かかるリュックサック１００にあっては、第一に、第一通し部１に通されたショルダーパッド１２１に連接された帯状体１２２と第二通し部２に通された帯状体１７０、１９０とによってバックルＢを介してショルダーストラップ１２０の長さ調整を可能とした状態で、ショルダーストラップ１２０を構成させることができる。
【００４２】
また、第二に、左側のバックルＢの第三通し部３と右側のバックルＢの第四通し部４を利用して、一対のショルダーストラップ１２０、１２０の間に、ウエストストラップ１４０を適切に張り込むことができ、このように張り込まれるウエストストラップ１４０によってリュックサック１００を背負い込んだ使用者のウエスト前部に対するショルダーストラップ１２０の密着性を向上させることができる。
【００４３】
また、第三に、左側のバックルＢの第四通し部４に通される帯状体１８０と右側のバックルＢの第三通し部３に通される帯状体２００とによって、リュックサック１００の下部側が使用者の活動に伴って過度に振れないようにすることができる。この帯状体Ｗを長さ調整可能とするようにしておけば、ショルダーストラップ１２０とリュックサック１００の下部背面との間の間隔を絞って、前記振れをより効果的に抑止させることができる。
【００４４】
すなわち、かかるリュックサック１００にあっては、前記左右のバックルＢ、Ｂを利用してリュックサック１００を構成する左側四つの帯状体Ｗ、Ｗ…と、右側四つの帯状体Ｗ、Ｗ…とを連結させ合わせることにより、以上の機能を奏するリュックサック１００をシンプルかつ適切に構成させることができる。
【００４５】
図示の例では、かかる左右のバックルＢ、Ｂ共に、第一通し部１を上方に位置させるようにしてリュックサック１００に備え付けられていると共に、
かかる左右のバックルＢ、Ｂ共に、第一通し部１が、挿通される帯状体Ｗの幅よりも幅広の長穴状をなすように構成されており、
かつ、第一通し部１における挿通される帯状体１２２が巻掛けられる箇所の内側部１１が、この第一通し部１の内方を湾曲内側とした弧状をなすように形成されていることから、ショルダーストラップ１２０が振れた場合であっても第一通し部１に通された帯状体１２２は第一通し部１内でこの振れを吸収するようにズレることができ、ショルダーストラップ１２０側に捩れなどをできる限り生じさせないようにすることができるようになっている。
【図面の簡単な説明】
【００４６】
【図１】バックルＢの構成例の一つを示した正面構成図
【図２】図１におけるＡ−Ａ線断面図
【図３】バックルＢの構成例の他の一つを示した正面構成図
【図４】図３におけるＢ−Ｂ線断面図
【図５】図３におけるＣ−Ｃ線断面図
【図６】バックルＢの構成例のさらに他の一つを示した正面図
【図７】同平面図
【図８】同右側面図
【図９】同底面図
【図１０】同背面図
【図１１】図６におけるＤ−Ｄ線断面図
【図１２】バックルＢの使用状態を示した斜視図
【図１３】リュックサック１００の斜視構成図（右前方方向から視た図）
【図１４】同要部斜視図
【図１５】リュックサック１００の斜視構成図（左前方方向から視た図）
【図１６】同要部斜視図
【符号の説明】
【００４７】
Ｂ  バックル
Ｗ  帯状体
１  第一通し部
２  第二通し部
３  第三通し部
４  第四通し部
【図１】
2005192812.tif 000003
【図２】
2005192812.tif 000004
【図３】
2005192812.tif 000005
【図４】
2005192812.tif 000006
【図５】
2005192812.tif 000007
【図６】
2005192812.tif 000008
【図７】
2005192812.tif 000009
【図８】
2005192812.tif 000010
【図９】
2005192812.tif 000011
【図１０】
2005192812.tif 000012
【図１１】
2005192812.tif 000013
【図１２】
2005192812.tif 000014
【図１３】
2005192812.tif 000015
【図１４】
2005192812.tif 000016
【図１５】
2005192812.tif 000017
【図１６】
2005192812.tif 000018